(57)【特許請求の範囲】
【請求項１】
洗剤等の洗浄液を保存するための洗浄液保持部を有し、給水口から局部へ洗浄水を噴出するための洗浄ノズルへ至る給水経路の途中に、洗浄液保持部から洗浄液を注入するための洗浄液注入口を設けると共に、洗浄液保持部と洗浄液注入口を接続する洗浄液供給経路とを設けた局部洗浄装置において、洗浄液保持部として詰替容器を用い、局部洗浄装置本体に詰替容器の収納部を設け、上記収納部は局部洗浄装置内部に独立した空間を確保するための専用容器で形成されており、上記収納部の上方に詰替容器を出し入れするための開口部を設けると共に、開口部に取り外し可能な蓋を設けたことを特徴とする局部洗浄装置。
【請求項２】
上記開口部の周囲に沿わせて溝部を形成し、溝部に一方向に向かって水勾配を設けたことを特徴とする請求項１記載の局部洗浄装置。
【請求項３】
上記開口部の周辺部分に、蓋に指が掛かり易くするための凹部を設け、この凹部内に溝部内の水が流れ込むようにしたことを特徴とする請求項２記載の局部洗浄装置。
【請求項４】
上記蓋を通して収納部内の詰替容器を視認可能としたことを特徴とする請求項１又は３記載の局部洗浄装置。
【請求項５】
上記蓋における溝部との嵌め合い位置に保持用リブを設けたことを特徴とする請求項１又は３又は４記載の局部洗浄装置。
【請求項６】
上記蓋が開口部に装着された状態で蓋の表面と局部洗浄装置本体の表面とがほぼ面一に形成されると共に、蓋が所定の力で保持されるように蓋側又は開口部側に保持用突起を設けたことを特徴とする請求項１又は３又は４又は５記載の局部洗浄装置。
【請求項７】
上記専用容器の底面に一方向に向かって水勾配を設けたことを特徴とする請求項１記載の局部洗浄装置。
【請求項８】
上記専用容器の水勾配を有する底面の最下点近傍に排水穴を設けたことを特徴とする請求項１又は７記載の局部洗浄装置。
【発明の詳細な説明】
【０００１】
【発明の属する技術分野】
本発明は、人体局部を洗浄するための局部洗浄装置に関するものである。
【０００２】
【従来の技術】
従来の局部洗浄装置は、図２１に示すように、局部洗浄を行う機構を有する局部洗浄装置本体Ａと、使用者が洗浄方法等を選択操作するための操作部１と、操作部１からの信号に応じて便座温度、洗浄温度及び洗浄流量等を制御するための主制御部（図示せず）と、使用者が座るための便座３とで構成されている。
【０００３】
局部洗浄装置本体Ａは、図２２に示すように、水源からの水を給水弁１１を介して貯え、内蔵ヒーターにより加熱し温水にする温水タンク１２と、局部を洗浄するための水を噴出する洗浄ノズル２と、温水タンク１２と洗浄ノズル２を結ぶ給水経路４と、給水経路４中に配置され温水タンク１２内の水を洗浄ノズル２に搬送するための水ポンプ１３と、上記給水経路４に洗浄液を供給するための洗浄液供給部３３とで構成されている。
【０００４】
洗浄液供給部３３は、洗浄液を保存するための洗浄液保持部５と、給水経路４中に洗浄液を混合するための洗浄液注入口６と、洗浄液保持部５と洗浄液注入口６とを接続する洗浄液供給経路７と、洗浄液供給経路７中に配置され洗浄液を搬送するための洗浄液供給ポンプ３２とで構成されている。さらに、洗浄液供給経路７中には水が洗浄液保持部５に入ることを防ぐための逆流防止弁３１を備えている。
【０００５】
使用者が操作部１にて洗浄方式を選定し、温水洗浄を選択した場合には、洗浄液供給ポンプ３２は作動しないので、温水タンク１２に貯えられた温水がそのまま人体局部に噴出され、一方、洗浄液洗浄を選択した場合には、洗浄液供給ポンプ３２が作動して、図２３に示すように、洗浄液Ｗ１が給水経路４に供給され、温水Ｗとの混合液Ｗ２が洗浄ノズル２を介して人体局部に噴出されるようになっている。
【０００６】
【発明が解決しようとする課題】
ところが、従来の局部洗浄装置の洗浄液保持部５においては、洗浄液が使用によって無くなった時、補充する必要があるが、従来は洗浄液を入れるための専用タンクを局部洗浄装置本体Ａから取り外して、専用の洗浄液を購入して専用タンクに補充し、その後、専用タンクを局部洗浄装置本体Ａに再度装着するという手間をかけなくてはならず、作業が煩雑であった。
【０００７】
本発明はこのような点に鑑みなされたものであって、その目的とするところは、洗浄液の補充作業にかかる手間を省くことができ、しかも清掃が容易であると共に装置内部や詰替容器の収納部への水浸入防止性を高めることができる局部洗浄装置を提供することにあり、他の目的とするところは、詰替容器の種類、銘柄等を容易に確認できる局部洗浄装置を提供することにあり、他の目的とするところは、開口部に対する蓋の装着保持性を高めることができる局部洗浄装置を提供することにあり、他の目的とするところは、簡易な構造で詰替容器内の洗剤を残らず使い切ることができる局部洗浄装置を提供することにあり、更に他の目的とするところは、詰替容器を収納する収納部の排水性を高めることができる局部洗浄装置を提供することにある。
【０００８】
【課題を解決するための手段】
上記課題を解決するために本発明にあっては、洗剤等の洗浄液を保存するための洗浄液保持部５を有し、給水口から局部へ洗浄水を噴出するための洗浄ノズル２へ至る給水経路４の途中に、洗浄液保持部５から洗浄液を注入するための洗浄液注入口６を設けると共に、洗浄液保持部５と洗浄液注入口６を接続する洗浄液供給経路７とを設けた局部洗浄装置において、洗浄液保持部５として詰替容器３０を用い、局部洗浄装置本体Ａに詰替容器３０の収納部８を設け、上記収納部８は、局部洗浄装置内部に独立した空間を確保するための専用容器１８で形成されており、上記収納部８の上方に詰替容器３０を出し入れするための開口部９を設けると共に、開口部９に取り外し可能な蓋１０を設けたことを特徴としており、このように構成することで、洗浄液が空になった際は、蓋１０を取り外して市販洗剤の詰まった詰替容器３０を収納部８の開口部９から収納部８に収納すればよい。従って、従来のように専用タンクを取り外したり、専用の洗浄液を購入して補充したりする必要がなく、煩雑であった洗浄液の補充作業を容易に行なうことができる。また上記収納部８は、局部洗浄装置内部に独立した空間を確保するための専用容器１８で形成されているので、たとえ収納部８を形成する専用容器１８内に飛散水、或いは小水が侵入したとしても、専用容器１８は局部洗浄装置とは独立した空間となっているため、専用容器１８以外の局部洗浄装置内への水の侵入を防止できる。また、蓋１０の清掃が容易であるうえに、局部洗浄装置内、収納部８内への水の侵入を確実に防止できるようになる。
【０００９】
また上記開口部９の周囲に沿わせて溝部１４を形成し、溝部１４に一方向に向かって水勾配Ｍを設けるのが好ましく、この場合、トイレ或いは、局部洗浄装置の清掃時の洗浄水、或いは男性の小水が飛散し、局部洗浄装置にかかった場合、開口部９周囲に設けた溝部１４に飛散水が流れ込むことで、開口部９内に入るのを防止できる。
【００１０】
また上記開口部９の周辺部分に、蓋１０に指が掛かり易くするための凹部１５を設け、この凹部１５内に溝部１４内の水が流れ込むようにするのが好ましく、この場合、凹部１５によって蓋１０に指が掛かり易くなり、蓋１０の着脱が容易となり、また凹部１５を利用して溝部１４に流れ込んだ水を排水できる。
【００１１】
また上記蓋１０を通して収納部８内の詰替容器３０を視認可能とするのが好ましく、この場合、蓋１０を取り外さなくても、収納部８に洗剤の詰替容器３０が収納されているか否か、また、使用している市販洗剤の種類、銘柄が容易に確認できるようになる。
【００１２】
また上記蓋１０における溝部１４との嵌め合い位置に保持用リブ１６を設けるのが好ましく、この場合、蓋１０を開口部９に装着したときに保持用リブ１６が開口部９周辺の溝部１４に侵入することで蓋１０が保持され、局部洗浄装置内部、或いは洗剤の詰替容器３０の収納部８への水侵入防止性を高めることができると共に、開口部９への蓋１０の位置決めも容易となる。
【００１３】
また上記蓋１０が開口部９に装着された状態で蓋１０の表面と局部洗浄装置本体Ａの表面とがほぼ面一に形成されると共に、蓋が所定の力で保持されるように蓋１０側又は開口部９側に保持用突起１７を設けるのが好ましく、この場合、開口部９に対する蓋１０の装着保持性をより高めることができる。
【００１５】
また上記専用容器１８の底面１８ａに一方向に向かって水勾配Ｍ１を設けるのが好ましく、この場合、専用容器１８内に市販洗剤が補充された詰替容器３０を収納することにより、詰替容器３０の底面も傾斜するようになり、これにより詰替容器３０の底面に溜まった洗剤を底面１８ａの片隅に集めて、ほぼ残らず使い切ることができる。
【００１６】
また上記専用容器１８の水勾配Ｍ１を有する底面１８ａの最下点近傍に排水穴１９を設けるのが好ましく、この場合、専用容器１８内に水が侵入したとしても、専用容器１８の底面１８ａを流れ落ちて最下点近傍に設けた排水穴１９より排水でき、専用容器１８内に水が溜まることがなくなる。
【００１７】
【発明の実施の形態】
以下、本発明を添付図面に示す実施形態に基づいて説明する。
【００１８】
本実施形態の局部洗浄装置は、便器上に固定されて使用されるものであり、図２１〜図２３に示すように、局部洗浄を行う機構を有する局部洗浄装置本体Ａと、使用者が洗浄方法等を選択操作するための操作部１と、操作部１からの信号に応じて便座温度、洗浄温度及び洗浄流量等を制御するための主制御部（図示せず）と、使用者が座るための便座３とで構成されている。局部洗浄装置本体Ａは、給水口からの給水／停止を行うための給水弁１１と、給水口からの水を貯え、ヒーターにより加熱し温水にする温水タンク１２と、局部を洗浄するための水を噴出する洗浄ノズル２と、給水弁１１と洗浄ノズル２を結ぶ給水経路４と、給水経路４中の温水タンク１２の下流側に配置され温水タンク１２内の水を洗浄ノズル２に搬送するための水ポンプ１３と、上記給水経路４に洗浄液を供給するための洗浄液供給部３３とで構成される。これら基本的な構成は従来と同様である。
【００１９】
ここで上記洗浄ノズル２は、図１２に示すように、お尻洗浄ノズル２２、ビデ洗浄ノズル２３、お尻洗浄ノズル２２及びビデ洗浄ノズル２３を洗浄するためのノズル洗浄用ノズル２１、便器内面を洗浄する便器洗浄ノズル２４及びこれらのノズルヘの流路を切り替えるための流路切替機構２０とで構成されている。
【００２０】
ここで、お尻洗浄ノズル２２は、図１３に示すように、内部に水路を有する筒状のシリンダー２６と、シリンダー２６の先端に配置される流体素子２７とで構成されている。このシリンダー２６は、図１４（ａ）（ｂ）に示すように、水圧で押し出されることによって前方に移動し、水圧が下がるとバネ６０が縮む力により後方に移動するような構造になっている。シリンダー２６の駆動は、洗浄水の水圧を利用するのに代えて、モータ等のアクチュエータを使用するようにしてもよい。流体素子２７は、図１５に示すように、サーキット状の２つの水路２８，２８と噴出口２９に向かった水路の計３つの水路から構成され、これらの水路を流れる混合水が水路合流地点でぶつかり合うことで混合水中に混入された空気が細かくなり、泡沫上になって噴出口から局部に噴出されるものである。
【００２１】
また、流路切替機構２０としては、例えば、ステッピングモーターで駆動するロータリー切替弁等が用いられる。ロータリー切替弁で流路を切り替えることより、温水タンク１２からの温水に洗浄液を混合し、お尻洗浄ノズル２２又はビデ洗浄ノズル２３から噴出することができる。さらに、図１６に示すように、混合水を便器洗浄ノズル２４で便器内面に噴出したり、図１７に示すように、ノズル洗浄用ノズル２１から各洗浄ノズル２２〜２４に向かって噴出することができるようになっている。なお温水タンク１２は、省略されても良い。この場合、熱交換器として、セラミック又はシーズ型のヒータ等を用い、給水を直接加熱して洗浄ノズル２に供給する。
【００２２】
そして、該局部洗浄装置における各ポンプ１３，３２と流路切替機構２０とを制御する主制御部は、ここではノズル洗浄用ノズル２１による洗浄ノズル２２，２３の洗浄と、便器洗浄ノズル２４による便器の洗浄とを、便器への着座及び離座と、前記操作部１に配された局部洗浄のための洗浄スイッチのオンオフ動作に連動して自動的になされるようにしている。
【００２３】
図１１はこの場合の制御の一例を示しており、人体の検知用の人体検知センサ（図示せず）による便座３への着座検知により、主制御部はまず混合液を便器洗浄ノズル２４から吐出して便器内面を濡らす。そして使用者が局部洗浄用の温水洗浄スイッチをオンとすれば、主制御部はユーザーが指定した洗浄ノズル２２，２３に洗浄水を供給する局部洗浄動作を行わせる。また、使用者が局部洗浄用の洗浄液洗浄スイッチをオンとすれば、主制御部は洗浄ノズル２２に対して洗浄液と洗浄水の混合液を供給し、続いて温水である洗浄水のみを供給して洗浄ノズル２２をすすぐ。人体の離座を検知すれば、主制御部はノズル洗浄用ノズル２１に洗浄水を供給して洗浄ノズル２２，２３の洗浄を行うようになっている。
【００２４】
一方、上記温水タンク１２内の水を洗浄ノズル２に搬送するための水ポンプ１３は、主制御部から入力した制御信号に応じて洗浄流量を変更し、一定に保つ働きをする。なお、洗浄流量を変更する手段として、水ポンプ１３を制御する代わりにモータを用いて制御してもよい。この場合、主制御部からの信号に応じて、流路の断面積を変化させることにより、水量を変化させることができる。また電磁弁を用いた場合、同様に、流路面積を変化させることにより、水量を変化させることができる。なお、水ポンプ１３は、省略されても良い。この場合は、洗浄操作キーの操作によって、電磁弁式の給水弁１１を開弁し、洗浄水を給水圧で直接送り込むようにしてもよい。
【００２５】
次に、上記洗浄液供給部３３は、図２２に示したように、洗浄液を保存するための洗浄液保持部５と、給水弁１１と洗浄ノズル２を結ぶ給水経路４中に洗浄液を混合するための洗浄液注入口６と、洗浄液保持部５と洗浄液注入口６とを接続する洗浄液供給経路７と、洗浄液供給経路７中に配置され洗浄液を搬送するための洗浄液供給ポンプ３２とで構成されている。この洗浄液供給部３３には、図３に示す詰替容器３０が逆流防止弁３１と洗浄液供給ポンプ３２とを介して接続されており、洗浄液供給ポンプ３２が作動する時、給水経路４を流れる洗浄水に洗浄液が混合される。従って、洗浄ノズル２には温水である洗浄水と、洗浄水に洗浄液を混合した混合液とを供給することが可能となっており、また、流路切替機構２０による流路の切替により、任意の液を任意の洗浄ノズル２１〜２４に供給することが可能となっている。洗浄液を含んだ混合液を洗浄ノズル２から噴射することで、汚れ（特に油分）を洗浄液（界面活性剤等）の洗浄力によって落とすことができるものであり、また、混合液で表面が濡らされた洗浄ノズル２２，２３や便器はその表面が滑りやすくなるために、便等の汚れが付着しにくくなるものである。なお洗浄液供給ポンプ３２としては、例えば、ギアポンプやダイヤフラム式ポンプが用いられる。また、洗浄液供給経路７中の洗浄液供給ポンプ３２の下流側には、水が洗浄液保持部５に入ることを防ぐための逆流防止弁３１を備えている。逆流防止弁３１としては、例えば、直動式やダイヤフラム式の電磁弁か、あるいは、ダックビルバルブ等が用いられる。
【００２６】
上記洗浄液供給経路７（図２２）は、例えば管状の樹脂等で構成され、局部洗浄装置本体Ａ側に着脱可能に接続されている。本実施形態では洗浄液供給経路７は、図１９に示すように、異なるサイズの詰替容器３０に対応できるように、複数のスライドパイプ６４ａ、６４ｂ、６４ｃを用いて伸縮自在に構成されている。なお、この洗浄液接続部７の伸縮構造は、後述の詰替容器３０の吸入パイプ６４にも同様に適用可能である。吸入パイプ６４を伸縮させることで詰替容器３０の大きさにも容易に対応できるようにするためである。
【００２７】
上記洗浄液供給経路７には、洗浄液接続部３４を介して洗浄液保持部５が接続される。洗浄液接続部３４は、図１８に示すように、局部洗浄装置本体Ａ側に設けられる接続口７０と、接続口７０と吸入パイプ６４とを接続する接続部材６７と、接続口７０と接続部材６７とをシールするＯリング６８等で構成される。接続口７０は、図２０に示すように、オス形状の管体７０ａとメス形状の管体７０ｂにて構成されると共に、ばね７２によって閉じる方向に付勢された弁７１を内蔵している。ここで、一端が吸入パイプ６４に接続された接続部材６７を接続口７０に差し込めば、接続部材６７で弁７１が図２０（ｂ）のように押されてばね７２に抗して後退するために、接続口７０が開くようになっている。これは詰替容器３０を取り外した時、局部洗浄装置本体Ａ側に残っている洗浄液が空気に触れて固着するのを防ぐためである。つまり、洗浄液供給経路７が取り外された際には、局部洗浄装置本体Ａ側の接続口７０が閉塞されるような弁構造となるため、局部洗浄装置本体Ａ内に残った洗浄液が空気に触れるのを防ぎ、固着するのを防止できるものである。また、接続部材６７に装着されたＯリング６８（図１８）は接続部材６７と接続口７０とを気密的に接続するためのものであり、接続口７０に差し込まれる接続部材６７の外周に装着することで保守交換を容易にしている。
【００２８】
上記接続口７０には、シリコン製のホース状の接続部材６７を介して吸入パイプ６４（図３）が接続されると共に、詰替容器３０の口に装着されるキャップ８０にはポリプロピレンの押出ホースにて形成された吸入パイプ６４が軸回りの回転が自在となる状態で差し込まれる孔８０ａが中央に設けられている。
【００２９】
ここで、接続口７０は図４（ａ）に示す状態で内部の弁７１（図２０）が閉じ、図４（ｂ）に示す状態で内部の弁７１が開くように構成されており、このとき閉→開の回転角度は、例えば９０°以下に設定され、洗浄液接続部３４と詰替容器３０の開口とを結ぶ直線に対し、左右対称にしてある。このように弁の開閉を行う時、ホース状の接続部材６７は撓む方向（図４の矢印イ、ロ方向）が入れ替わるようにすることで、接続部材６７７の長さの最適化を図るとともに、着脱の際に折れ曲がらないようにしている。
【００３０】
次に、洗浄液保持部５において、詰替容器３０を用いた場合の一例を図３に示す。ここでは詰替容器３０として市販洗剤のプラスチックボトルを用いている。一方、局部洗浄装置本体Ａの袖部Ｂには、詰替容器３０の収納部８が設けられ、収納部８の上方に開口部９が設けられており、この開口部９より詰替容器３０を収納部８に出し入れ自在に収納できるようにしている。開口部９には、図２に示すように、取り外し可能な蓋１０が装着されている。なお、詰替容器３０は例えばプラスチック、ボトル等が用いられる。
【００３１】
しかして、詰替容器３０を出し入れするために上方に開口部９を備えた収納部８を設け、上記開口部９に取り外し可能な蓋１０を設けたので、洗浄液が空になった際は、蓋１０を取り外して市販洗剤の詰まった詰替容器３０を収納部８の開口部９から収納部８に収納すればよい。このとき、接続部材６７（図３）を接続口７０から抜き取ることで弁７１が閉じ、再び接続部材６７を接続口７０に差し込むことで、洗浄液供給経路７側に接続できるようになる。従って、従来のように専用タンクを取り外したり、専用の洗浄液を購入して補充したりする必要がなく、煩雑であった洗浄液の補充作業を容易に行なうことができる。つまり、詰替容器３０をそのまま使用するために、洗浄液を移し替える手間が不要なものである。また、蓋１０を取り外すことで、蓋１０の清掃が容易となり、さらに、蓋１０を装着しておくことで、トイレ或いは局部洗浄装置の清掃時の水、或いは小水が局部洗浄装置内部、市販洗剤の詰替容器３０の収納部８に侵入することが防止できるものである。
【００３２】
また本例では、開口部９に装着される蓋１０は、図２に示すように、開口部９を形成する局部洗浄装置本体Ａの上部面とほぼ面一に装着されるようになっている。通常、収納部８には、洗剤が補充された詰替容器３０が収納され、開口部９には蓋１０が装着された状態で使用されるが、蓋１０と局部洗浄装置本体Ａの上部面とをほぼ面一にすることで、蓋１０の装着保持性が高められる等の利点がある。
【００３３】
ここで、上記蓋１０を通して収納部８内の詰替容器３０を視認可能な構成とするのが望ましい。その一例として、蓋１０を閉じたままで蓋１０の外から収納されている洗剤の種類、銘柄が視認できるように、例えば、蓋１０を透明、或いは半透明にしたり、或いは蓋１０に視認用の窓（図示せず）を設けたりする。これにより、蓋１０をいちいち取り外さなくても、収納部８に洗剤の詰替容器３０が収納されているか否か、また、使用している市販洗剤の種類、銘柄が何か容易に確認できるようになる。
【００３４】
図５、図６は他の実施形態であり、上記開口部９を形成する局部洗浄装置本体Ａの上部面は水平レベルＬよりも前下方に向けて傾斜しており、これにより開口部９周囲に沿わせて設けられた溝部１４も前方に下り傾斜した水勾配Ｍを有している。なお水勾配Ｍの方向は前方に限らず、任意に変更可能である。ちなみに、トイレ或いは、局部洗浄装置の清掃時の洗浄水、また、男性の小水が飛散し、局部洗浄装置にかかった場合に、その飛散水が開口部９周囲に設けた溝部１４に流れ込むことで、飛散水等が開口部９内に入るのを防止できるようになっている。更に図５の例では、開口部９の周辺部分に、蓋１０に指が掛かり易くするための凹部１５を設け、この凹部１５内に溝部１４内の水が流れ込むようにしている。凹部１５は樋状に形成され、凹部１５を伝って排水されるようになっている。ここでは、上記水勾配Ｍの最も低い部位近傍に、上記溝部１４の外周を一部削除するような形で凹部１５が設けられ、凹部１５によって蓋１０に指が掛かり易くなって着脱し易いようにしてある。従って、トイレ或いは、局部洗浄装置の清掃時の洗浄水、また、男性の小水が飛散して蓋１０周辺にかかった場合、開口部９周囲に設けた溝部１４に飛散水が流れ込み、溝部１４の水勾配Ｍに沿って最低部近傍に流れて凹部１５から流れ落ちるため、局部洗浄装置内部、或いは洗剤の詰替容器３０の収納部８への水の浸入を確実に防止できるようになる。
【００３５】
図７は更に他の実施形態であり、蓋１０における溝部１４との嵌め合い位置に保持用リブ１６を設けた場合の一例を示している。ここでは、開口部９周囲の溝部１４に嵌め合う位置に保持用リブ１６が形成され、図７（ｃ）に示すように、保持用リブ１６が溝部１４内に侵入して外周壁１４ａに押し当てられることで蓋１０が保持され、局部洗浄装置内部、或いは洗剤の詰替容器３０の収納部８への水侵入防止性を高めると共に、開口部９への蓋１０の位置決めも兼ねるようになっている。なお、必ずしも保持用リブ１６を溝部１４の外周壁１４ａに押し当てて保持する構造には限られず、溝部１４の内周壁に押し当てて保持する構造としてもよい。更に本実施形態では、蓋１０が装着された状態で蓋１０が開口部９に所定の力で保持されるように、蓋１０に開口部９にほぼ接するか或いは、開口部９に摺入されるような突起状の保持用突起１７を複数設けてあり、これにより蓋１０の装着保持性をより高めるようにしている。ここでは、図７（ｃ）に示すように、蓋１０から開口部９内面に沿って内周リブ４０を突出させ、この内周リブ４０から保持用突起１７を突出させて開口部９の内面に押し当てるようにしているが、必ずしもこれには限らず、開口部９内面から保持用突起１７を突出させ、この保持用突起１７に内周リブ４０を押し当てるようにしてもよいものである。いずれの場合でも保持用突起１７の数、形状は任意に変更可能である。
【００３６】
図８は本発明の基本となる実施形態であり、収納部８が、局部洗浄装置内部に独立した空間を確保するための専用容器１８で形成されている。この専用容器１８は上方に開口した有底箱状に形成され、局部洗浄装置本体Ａの底面Ａ１に載置されている。専用容器１８の底面１８ａには前方向（図８の例では右方向）に向かって水勾配Ｍ１が形成されており、その底面１８ａの最下点近傍には、専用容器１８の底面１８ａを貫通した排水穴１９が設けられ、さらに局部洗浄装置本体Ａの底面Ａ１には排水穴１９と同軸上に貫通穴２５が設けられている。なお、水勾配Ｍ１の方向は任意に設定可能である。しかして、たとえ収納部８を形成する専用容器１８内に水、或いは小水が進入したとしても、専用容器１８は局部洗浄装置とは独立した空間を確保しているため、水は専用容器１８以外の局部洗浄装置内部に侵入することがない。またたとえ専用容器１８に水、或いは小水が進入しても、専用容器１８の底面１８ａに水勾配Ｍ１を設けたことにより水等は底面１８ａの最下点に流れる。この最下点付近に流れた水等は、この最下点近傍に設けた貫通穴２５と、この貫通穴２５及び貫通穴２５から流れ出し、洗剤の詰替容器３０の収納部８を形成している専用容器１８内に溜まることはない。また、専用容器１８の底面１８ａに沿って市販洗剤が補充された詰替容器３０を収納することにより、詰替容器３０の底面も傾斜するようになり、これにより詰替容器３０の底面に溜まった洗剤を底面１８ａの片隅に集めることができ、ほぼ残らず使い切ることができるという利点もある。
【００３７】
図９、図１０は詰替容器３０の他例を示している。本例ではねじ蓋を取り外した詰替容器３０の雄ねじが外周に形成された口部を受ける連結用受け部８０を局部装置本体Ａ側に設けており、この連結用受け部８０に詰替容器３０の口部をねじ込んで詰替容器３０を取り付ければ、吸入パイプ６４が詰替容器３０内に差し込まれる。また、連結用受け部８０にはエアポンプ７６に接続された空気供給管７５が接続されており、エアポンプ７６によって空気供給管７５を通じて詰替容器３０内に空気が送り込まれ、詰替容器３０内の空気圧が上昇するために、詰替容器３０内の洗浄液は押されて吸入パイプ６４を通じて送り出される。この場合、エアポンプ７６が洗浄液供給ポンプ３２を代用するようになる。
【００３８】
【発明の効果】
上述のように請求項１記載の発明にあっては、洗剤等の洗浄液を保存するための洗浄液保持部を有し、給水口から局部へ洗浄水を噴出するための洗浄ノズルへ至る給水経路の途中に、洗浄液保持部から洗浄液を注入するための洗浄液注入口を設けると共に、洗浄液保持部と洗浄液注入口を接続する洗浄液供給経路とを設けた局部洗浄装置において、洗浄液保持部として詰替容器を用い、局部洗浄装置本体に詰替容器の収納部を設け、上記収納部は、局部洗浄装置内部に独立した空間を確保するための専用容器で形成されており、上記収納部の上方に詰替容器を出し入れするための開口部を設けると共に、開口部に取り外し可能な蓋を設けたので、洗浄液が空になった際は、蓋を取り外して市販洗剤の詰まった詰替容器を収納部の開口部から収納部に収納すればよい。従って、従来のように専用タンクを取り外したり、専用の洗浄液を購入して補充したりする必要がなく、煩雑であった洗浄液の補充作業を容易に行なうことができる。つまり、詰替容器をそのまま使用するために、洗浄液を移し替える手間が不要となる。また上記収納部は、局部洗浄装置内部に独立した空間を確保するための専用容器で形成されているので、たとえ収納部を形成する専用容器内に飛散水、或いは小水が侵入したとしても、専用容器は局部洗浄装置とは独立した空間となっているため、専用容器以外の局部洗浄装置内への水の侵入を防止できる。また、蓋を取り外すことで、蓋の清掃が容易となり、さらに、蓋を装着しておくことで、トイレ或いは局部洗浄装置の清掃時の水、或いは小水が局部洗浄装置内部、詰替容器の収納部内部等に侵入することがなくなり、水侵入防止性を高めることができるものである。
【００３９】
また請求項２記載の発明は、請求項１記載の効果に加えて、上記開口部の周囲に沿わせて溝部を形成し、溝部に一方向に向かって水勾配を設けたので、トイレ或いは、局部洗浄装置の清掃時の洗浄水、或いは男性の小水が飛散し、局部洗浄装置にかかった場合、開口部周囲に設けた溝部に飛散水が流れ込むことで、開口部内に入るのを防止でき、溝部を利用して排水できるようになる。
【００４０】
また請求項３記載の発明は、請求項２記載の効果に加えて、上記開口部の周辺部分に、蓋に指が掛かり易くするための凹部を設け、この凹部内に溝部内の水が流れ込むようにしたので、凹部によって蓋に指が掛かり易くなり、蓋の着脱が容易となる。しかも、溝部に流れ込んだ飛散水は凹部に流れ込んで排水されるようになり、これにより局部洗浄装置内部、或いは洗剤の詰替容器の収納部に水が流れ込むのを防止できる。
【００４１】
また請求項４記載の発明は、請求項１又は３記載の効果に加えて、上記蓋を通して収納部内の詰替容器を視認可能としたので、蓋を取り外さなくても、収納部に洗剤の詰替容器が収納されているか否か、また、使用している市販洗剤の種類、銘柄が何か容易に確認できる。
【００４２】
また請求項５記載の発明は、請求項１又は３又は４記載の効果に加えて、上記蓋における溝部との嵌め合い位置に保持用リブを設けたので、蓋を開口部に装着したときに保持用リブが開口部周辺の溝部に侵入することで蓋が保持され、局部洗浄装置内部、或いは洗剤の詰替容器の収納部への水侵入防止性を高めることができると共に、開口部への蓋の位置決めも兼ねることができるものである。
【００４３】
また請求項６記載の発明は、請求項１又は３又は４又は５記載の効果に加えて、上記蓋が開口部に装着された状態で蓋の表面と局部洗浄装置本体の表面とがほぼ面一に形成されると共に、蓋が所定の力で保持されるように蓋側又は開口部側に保持用突起を設けたので、開口部に対する蓋の装着保持性をより高めることができる。
【００４５】
また請求項７記載の発明は、請求項１記載の効果に加えて、上記専用容器の底面に一方向に向かって水勾配を設けたので、この専用容器内に市販洗剤が補充された詰替容器を収納することにより、詰替容器の底面も傾斜するようになり、これにより詰替容器の底面に溜まった洗剤を底面の片隅に集めることができ、ほぼ残らず使い切ることができる。
【００４６】
また請求項８記載の発明は、請求項１又は７記載の効果に加えて、上記専用容器の水勾配を有する底面の最下点近傍に排水穴を設けたので、専用容器内に水が侵入したとしても、専用容器の底面の最下点近傍に設けた排水穴より排水できるので、専用容器内に水が溜まることがなく、排水性が向上する。
【図面の簡単な説明】
【図１】  本発明の実施形態の一例を示す斜視図である。
【図２】  同上の開口部に蓋を装着した状態の斜視図である。
【図３】  同上の詰替容器の断面図である。
【図４】  （ａ）（ｂ）は同上の部分平面図である。
【図５】  他の実施形態の斜視図である。
【図６】  更に他の実施形態の斜視図である。
【図７】  （ａ）（ｂ）は更に他の実施形態の蓋の斜視図である。
【図８】  本発明の基本となる実施形態の断面図である。
【図９】  更に他の実施の形態の一例の要部分解斜視図である。
【図１０】  同上の断面図である。
【図１１】  同上の動作の一例を示すタイムチャートである。
【図１２】  同上の洗浄ノズルの斜視図である。
【図１３】  同上のお尻洗浄ノズルの斜視図である。
【図１４】  （ａ）（ｂ）は同上のお尻洗浄ノズルの動作説明図である。
【図１５】  同上のお尻洗浄ノズルの流体素子の説明図である。
【図１６】  同上のノズル部の斜視図である。
【図１７】  同上のノズル部の斜視図である。
【図１８】  同上の接続口及び接続部材の分解斜視図である。
【図１９】  （ａ）は同上の吸入パイプの正面図、（ｂ）は側面図、（ｃ）は（ｂ）のＡ−Ａ線断面図、（ｄ）は端面から見た図である。
【図２０】  （ａ）（ｂ）は同上の接続口の動作説明図である。
【図２１】  従来例の平面図である。
【図２２】  従来の局部洗浄装置全体の概略構成図である。
【図２３】  従来の洗浄水の流れの説明図である。
【符号の説明】
Ａ  局部洗浄装置本体
２  洗浄ノズル
４  給水経路
５  洗浄液保持部
６  洗浄液注入口
７  洗浄液供給経路
８  収納部
９  開口部
１０  蓋
１４  溝部
１５  凹部
１６  保持部用リブ
１７  保持用突起
１８  専用容器
１８ａ  底面
１９  排水穴
３０  詰替容器
３３  洗浄液供給部
Ｗ  溝部の水勾配
Ｗ１  専用容器の底面の水勾配
【図１】
0004075467.tif 000002
【図２】
0004075467.tif 000003
【図３】
0004075467.tif 000004
【図４】
0004075467.tif 000005
【図５】
0004075467.tif 000006
【図６】
0004075467.tif 000007
【図７】
0004075467.tif 000008
【図８】
0004075467.tif 000009
【図９】
0004075467.tif 000010
【図１０】
0004075467.tif 000011
【図１１】
0004075467.tif 000012
【図１２】
0004075467.tif 000013
【図１３】
0004075467.tif 000014
【図１４】
0004075467.tif 000015
【図１５】
0004075467.tif 000016
【図１６】
0004075467.tif 000017
【図１７】
0004075467.tif 000018
【図１８】
0004075467.tif 000019
【図１９】
0004075467.tif 000020
【図２０】
0004075467.tif 000021
【図２１】
0004075467.tif 000022
【図２２】
0004075467.tif 000023
【図２３】
0004075467.tif 000024